(57)【要約】【課題】消去の少ない垂直磁気記録のためのヘッドを提供する。【解決手段】本発明の垂直ライタは、２つの帰路極に接続する主極を含み、さらに１つあるいはそれ以上の短絡シールドを含み、それにより２層垂直磁気媒体上の消去フィールドを減少させる。垂直ライタは、第１および第２の帰路極を接続する側短絡シールドを含んでもよく、それによりトラック横断フィールド勾配を修正する。加えて、垂直ライタは、トラック下方勾配を修正する上部短絡シールドを含んでもよく、さらに、消去フィールドをさらに減少させるために下部短絡シールドを含んでもよい。主極と短絡シールドとの間の距離は、書込みフィールド勾配をカストマイズするために修正することができる。【選択図】図２
2005182987.tif 000002
【特許請求の範囲】
【請求項１】
ライタ部分を有する変換ヘッドであって、当該ライタ部分は、
第１の端および第２の端を有する主極と、
上記主極に関して配置されたコイルと、
上記主極の上記第２の端から延びる磁束のための第１および第２の帰路を形成する帰路極と、
上記主極の１つの側に上記主極から一定の間隔を置いて上記第１の端の近くに配置された短絡シールド、
を含む、上記変換ヘッド。
【請求項２】
請求項１に記載の変換ヘッドにおいて、上記短絡シールドは、上記第１および第２の帰路に接続し、上記主極の上記第１の端の近くに配置された第１の側短絡シールドであることを特徴とする、上記変換ヘッド。
【請求項３】
請求項２に記載の変換ヘッドにおいて、上記ライタ部分はさらに、上記第１および第２の帰路に接続し、上記主極の上記第１の端の近くに配置された第２の側短絡シールドを含むことを特徴とする、上記変換ヘッド。
【請求項４】
請求項３に記載の変換ヘッドにおいて、上記第１および第２の側短絡シールドは軟磁性材料から形成され、磁束が上記第１および第２の側短絡シールドを通って上記第１および第２の帰路内に流れるようにすることを特徴とする、上記変換ヘッド。
【請求項５】
請求項３に記載の変換ヘッドにおいて、上記第１の側短絡シールドおよび上記第２の側短絡シールドは、トラック横断方向において消去フィールドを減少させるために、それぞれ上記主極から一定の距離を置いて配置されていることを特徴とする、上記変換ヘッド。
【請求項６】
請求項３に記載の変換ヘッドであってさらに、上記主極の１つの側に上記主極から一定の間隔を置いて、上記第１の端あたりに配置された上部短絡シールドを含むことを特徴とする、上記変換ヘッド。
【請求項７】
請求項１に記載の変換ヘッドにおいて、上記短絡シールドは、上記第１および第２の帰路の高さよりも低い、浮上面から離れて延びる高さを有する上部短絡シールドであることを特徴とする、上記変換ヘッド。
【請求項８】
請求項１に記載の変換ヘッドにおいて、上記短絡シールドは、上記第１および第２の帰路の高さよりも低い、浮上面から離れて延びる高さを有する下部短絡シールドであることを特徴とする、上記変換ヘッド。
【請求項９】
請求項１に記載の変換ヘッドにおいて、上記主極は高モーメント軟磁性材料で形成されていることを特徴とする、上記変換ヘッド。
【請求項１０】
請求項９に記載の変換ヘッドにおいて、上記主極はさらに軟磁性材料のヨークを含むことを特徴とする、上記変換ヘッド。
【請求項１１】
請求項１に記載の変換ヘッドであってさらに、上記ライタ部分に隣接して置かれたリーダ部分を含むことを特徴とする、上記変換ヘッド。
【請求項１２】
浮上面を有する垂直ライタであって、
第１の帰路極と、
上記浮上面と相対する後部バイアにおいて上記第1の帰路極に接続する第２の帰路極と、
上記第１の帰路極と上記第２の帰路極との間に置かれた主極と、上記主極は、上記浮上面に隣接する第１の端と、上記後部バイアに接続する第２の端を有し、
第１の短絡シールドと、
第２の短絡シールド、を含み、
上記第１および第２の短絡シールドは、上記第１および第２の帰路極と上記浮上面のあたりで接触する、上記垂直ライタ。
【請求項１３】
請求項１２に記載の垂直ライタであってさらに、磁束の生成のために上記主極に関して配置された導電コイルを含むことを特徴とする、上記垂直ライタ。
【請求項１４】
請求項１２に記載の垂直ライタにおいて、上記第１および第２の短絡シールドは、上記主極の上記第１の端の相対する側に、上記第１の端から一定の間隔を置いて配置されていることを特徴とする、上記垂直ライタ。
【請求項１５】
請求項１２に記載の垂直ライタにおいて、上記第１および第２の短絡シールドは、上記第１および第２の短絡シールドによって磁束を上記主極から上記第１および第２の帰路極内に導くために、軟磁性材料から形成されていることを特徴とする、上記垂直ライタ。
【請求項１６】
請求項１２に記載の垂直ライタにおいて、上記第１の短絡シールドは上部短絡シールドであり、上記第２の短絡シールドは下部短絡シールドであることを特徴とする、上記垂直ライタ。
【請求項１７】
請求項１２に記載の垂直ライタにおいて、上記第１および第２の短絡シールドは、上記浮上面から引っ込んだ場所にあることを特徴とする、上記垂直ライタ。
【請求項１８】
請求項１２に記載の垂直ライタにおいて、上記第１および第２の短絡シールドは、上記主極の相対する側に置かれ、上記主極の上記第１の端から一定の間隔を置いて配置されている第１および第２の側短絡シールドであることを特徴とする、上記垂直ライタ。
【請求項１９】
請求項１８に記載の垂直ライタであってさらに、上記主極から一定の間隔を置いて配置された上部短絡シールドを含み、上記上部短絡シールドは、上記第１および第２の短絡シールドおよび上記第１の帰路極に接触することを特徴とする、上記垂直ライタ。
【請求項２０】
請求項１９に記載の垂直ライタであってさらに、上記主極から一定の間隔を置いて配置された下部短絡シールドを含み、上記下部短絡シールドは、上記第１および第２の短絡シールドおよび上記第２の帰路極に接触することを特徴とする、上記垂直ライタ。
【請求項２１】
磁気記録ヘッドであって、
配置可能な第１の端を有する主極と、
磁束の生成のために上記主極に関して配置されたコイルと、
磁束のための第１および第２の帰路を形成する帰路極と、
消去フィールドを減少させるためのシールド手段、
を含む、上記磁気記録ヘッド。
【請求項２２】
請求項２１に記載の磁気記録ヘッドにおいて、上記消去フィールドを減少させるための手段は、上記主極の上記第１の端から一定の間隔を置いて配置された、軟磁性材料から形成される１つあるいはそれ以上の短絡シールドを含むことを特徴とする、上記磁気記録ヘッド。
【請求項２３】
請求項２１に記載の磁気記録ヘッドにおいて、上記消去フィールドを減少させるための手段は、上記第１の端の近くにおいて、上記主極の上記第１の端から一定の間隔を置いて配置された、軟磁性材料から形成される上部短絡シールドを含むことを特徴とする、上記磁気記録ヘッド。
【請求項２４】
請求項２１に記載の磁気記録ヘッドにおいて、上記消去フィールドを減少させるための手段は、上記主極の上記第１の端から一定の間隔を置いて配置された２つの側短絡シールドを含むことを特徴とする、上記磁気記録ヘッド。
【請求項２５】
請求項２１に記載の磁気記録ヘッドにおいて、上記消去フィールドを減少させるための手段は、２つの側短絡シールドおよび上部短絡シールドを含み、各短絡シールドは、上記主極の上記第１の端から一定の間隔を置いて配置されていることを特徴とする、上記磁気記録ヘッド。
【請求項２６】
請求項２１に記載の磁気記録ヘッドにおいて、上記消去フィールドを減少させるための手段は、２つの側短絡シールド、上部短絡シールド、および下部短絡シールドを含み、各短絡シールドは上記主極の上記第１の端から一定の間隔を置いて配置されていることを特徴とする、上記磁気記録ヘッド。
【発明の詳細な説明】
【技術分野】
【０００１】
本発明の背景
本発明は一般に、磁気媒体内のデータの記憶および検索に関する。特に本発明は、垂直ライタの主極の周りの短絡シールドの配置に関する。
【背景技術】
【０００２】
通常の変換ヘッドは、２つの部分から成っている。磁気的にコード化された情報を磁気媒体上に記憶するためのライタ部分と、磁気的にコード化された情報を媒体から検索するためのリーダ部分である。磁気媒体には通常トラックが構成され、トラックはさらにビット・フィールドで構成されている。ＭＲセンサは、ビット・フィールド間の記憶された磁束における相違を検出するために、トラックに沿って媒体のすぐ近くを移動する。１つのビット・フィールドから他のビット・フィールドへの磁束における変化は、対応する抵抗率の変化となり、その結果ＭＲセンサからの電圧出力となる。検出されデータ出力となるのは、１つのビット・フィールドから他のビット・フィールドへの変化であるので、これらの変化は急峻であること、つまり可能な限り狭いことが重要である。急峻な変化は、読取りが成功するための他の特質と同様に、リーダによって制御されるのではなく、代わりに、ライタおよび磁気媒体内のデータをコード化するために使用される処理によって制御される。
【０００３】
垂直ライタは通常、浮上面において互いに離されている少なくとも１つの隣接する帰路極を有する主極から成る。加えて、これらの磁極は、浮上面から離れた領域における後部バイアによって接続している。２つの極の間には、電気的絶縁層によって密閉された１つあるいはそれ以上の導電コイルの層が配置されている。磁気媒体にデータを書き込むために、時間変化電流つまり書込み電流が導電コイルを通って流れるようにされる。
【特許文献１】米国特許第６，６３０，２５５号
【発明の開示】
【発明が解決しようとする課題】
【０００４】
書込み電流は、書込みフィールドと呼ばれる、磁極における時間変化磁気フィールドを発生させる。磁極、後部バイアおよび磁気媒体は磁束経路の一部であり、磁束経路は、磁気抵抗回路とも呼ばれる。書込みフィールドは主極から磁気媒体内に通過し、それにより、媒体内の記録層に書込みを行う。主極からの残りの磁束は、磁気媒体の軟下部層を介して磁気抵抗回路を閉じる。磁束が記録層を通過し、それにより軟下部層を通して磁気抵抗回路を閉じる際に、記録されたビットが不安定になることがあり、その結果、記録層に記憶された情報が消去されることがある。
【０００５】
近年、データ記憶密度がかなり高くなってきている。一般に、磁気データ記憶および検索装置の記憶容量は、高められた面密度を有する磁気媒体を使用することにより増加される。面密度は、媒体の単位面積内に記憶されたデータの単位の数である。面密度は、磁気媒体の２つの構成要素によって決定される。トラック密度（磁気媒体の単位幅あたりのデータ・トラックの数）および線密度（データ・トラックの長さの単位あたりの記憶されたデータの単位の数）である。磁気媒体の面密度を高めるためには、磁気媒体の線密度および／あるいはトラック密度を高めなければならない。
【０００６】
面密度が高くなると、ライタはより高くなる磁束密度を有するより小さいビット・フィールドに書込みをしなければならない。従来の垂直ライタに伴う１つの問題は、書込みフィールドが隣接トラックおよびビット・フィールドに与える影響である。１つのビット・フィールドを書込む処理は、隣接するトラックにおける側、あるいは、書込みヘッドの前あるいは後ろにおける隣接するビット・フィールドの双方において、記憶された磁気データの消去を引き起こすかもしれない。望ましくない消去を引き起こす書込みフィールドのこの部分は、消去フィールドと呼ばれる。この分野において、消去フィールドの小さい改良された垂直ライタがまだ必要とされ続けている。
【課題を解決するための手段】
【０００７】
発明の概要
主極を有する垂直ライタは、小さい消去フィールドをもって高面密度２層垂直媒体に書込みを行う。垂直ライタは、浮上面において主極の近くに置かれた側短絡シールドを含む。側短絡シールドは、浮上面において第１および第２の帰路極に接続する。側短絡シールドは、選択的な上部および下部短絡シールドと共にあるいはこれら無しで、浮上面の近くで主極の周りに箱を作成し、それによりライタからの書込みフィールド勾配を修正する。書込みフィールド勾配は、磁束が短絡シールドによってライタ内で磁気抵抗回路を完了することができるようにすることによって、消去フィールドを減少させるように修正される。側短絡シールドは、トラック横断フィールド勾配を修正し、一方上部短絡シールドはトラック下方勾配を修正し、それにより消去フィールドを減少させる。主極と短絡シールドとの間の距離は、書込みフィールド勾配をカストマイズするために修正することができる。
【実施例１】
【０００８】
図１は、垂直ライタ１００の断面図である。図１の断面図は、垂直ライタ１００の浮上面（ＡＢＳ）に垂直な面に沿って描かれている。図２は、垂直ライタ１００の浮上面からの底面図である。
【０００９】
垂直ライタ１００のＡＢＳは、磁気媒体１０４の表面１０２に面している。磁気媒体１０４は、垂直ライタ１００に対して矢印Ａによって示される方向に移動あるいは回転する。垂直ライタ１００のＡＢＳと媒体表面１０２との間の空間は、垂直ライタ１００と磁気媒体１０４との間の接触を避けながら、最少にされることが望ましい。
【００１０】
磁気媒体１０４は通常、記録層１０６および軟下部層１０８から成る２層垂直媒体である。記録層１０６は通常、１つあるいはそれ以上の強磁性材料で形成され、例えば、ここに参照によって取り入れられる、特許文献１の「交換減結合スペーサ層を有する多層垂直磁気記録媒体」に開示されるような多層構造を含んでもよい。軟下部層１０８は通常、軟磁性材料から形成される。例えば、適当な軟磁性材料は、ＣｏＦｅおよびその合金、ＦｅＡｌＮ、ＮｉＦｅ、ＣｏＺｒＮｂ、およびＦｅＴａＮを含み、ＣｏＦｅおよびＦｅＡｌＮが最も典型的である。
【００１１】
垂直ライタ１００は、第１の帰路極１１０、第１の後部バイア１１２、第１の組のコイル１１４、絶縁体１１６、ヨーク１１８、主極１２０、第２の後部バイア１２２、第２の組のコイル１２４、第２の帰路極１２６、第１の短絡シールド１２８（図２）、および第２の短絡シールド１３０（図２）を含む。第１の帰路極１１０は、垂直ライタ１００の浮上面から離れた端において第１の後部バイア１１２に接続している。第２の後部バイア１２２は、ＡＢＳから離れた端において主極１２０に接触している。第２の後部バイア１２２はまた、垂直ライタ１００の浮上面から離れた端において第２の帰路極１２６に接触している。第１の組のコイル１１４は、第１の帰路極１１０と、隣接するヨーク１１８を有する主極１２０との間に置かれている。第２の組のコイル１２４は、主極１２０と第２の帰路極１２６との間に置かれている。第１の組のコイル１１４と第２の組のコイル１２４の双方は、絶縁体１１６の中に置かれている。
【００１２】
第１の帰路極１１０および第２の帰路極１２６は、第１の後部バイア１１２および第２の後部バイア１２２と同様に、ＮｉＦｅのような軟磁性材料から形成されているが、軟磁性材料はＮｉＦｅに限定されるものではない。第１の組のコイル１１４および第２の組のコイル１２４は、低電気抵抗を有する材料、例えばＣｕから作られている。絶縁体１１６は、誘電体材料から形成され、それによりコイルを電気的に絶縁している。主極１２０は、ＣｏＦｅのような高モーメント軟磁性材料から作られている。隣接するヨーク１１８は、主極１２０への磁束配信の効率を改良するために、ＮｉＦｅのような軟磁性材料から作られている。第１および第２の短絡シールド１２８および１３０は、ＮｉＦｅのような軟磁性材料のブロックから作られ、垂直ライタ１００の浮上面に置かれている。第１の短絡シールド１２８および第２の短絡シールド１３０は、主極１２０の相対する側に、浮上面においてあるいはその近くに置かれている。
【００１３】
垂直ライタ１００は、１コイルあるいは２コイル設計を使用する。垂直ライタ１００は、図１において２コイル設計を使用して提示されているが、主極１２０の周りにらせん状に巻かれた単一のコイルを有する１コイル設計を含む、他のコイル設計を含むように修正してもよい。２コイル設計は、ページに電流を運び入れるための第１の組のコイル１１４およびページから電流を運び出すための第２の組のコイル１２４を含み、事実上電流が反対の極性を持って流れるようにする。この結果は、主極１２０およびヨーク１１８への効率的な駆動力となり、１コイル設計と比較して、第１および第２の帰路極１１０および１２６上の純駆動力（ＭＭＦ）を減少させる。
【００１４】
図２は、垂直ライタ１００の浮上面の底面図である。図２は、第１の側短絡シールド１２８および第２の側短絡シールド１３０の、主極１２０および第１および第２の帰路極１１０および１２６に対する位置を示している。第１の側短絡シールド１２８および第２の側短絡シールド１３０は、トラックを横断する方向に主極１２０の両側における位置において、主極１２０から一定の間隔を置いて配置されている。第１の側短絡シールド１２８は、第１の帰路極１１０から第２の帰路極１２６にかかっている。同様に、第２の側短絡シールド１３０は、第１の帰路極１１０から第２の帰路極１２６にかかっている。第１の側短絡シールド１２８、第１の帰路極１１０、第２の側短絡シールド１３０、および第２の帰路極１２６の組合せは、主極１２０の周りに箱を作成する。垂直ライタ１００の第１および第２の側短絡シールド１２８および１３０は、磁束が磁気媒体１０４の記録層１０６および軟下部層１０８を通り抜けるのではなく、磁気抵抗回路が垂直ライタ１００内において有利に閉じることができるようにする。
【００１５】
第１および第２の側短絡シールド１２８および１３０のいずれかあるいは双方を含むことにより、垂直ライタ１００からの磁束のトラック横断書込みフィールド勾配が修正される。磁束は、第１および第２の側短絡シールド１２８および１３０の位置において垂直ライタ１００に戻る。その結果、磁気フィールドの垂直構成要素は、側シールドの無い従来の垂直ライタ設計と比較して、第１および第２の側短絡シールド１２８および１３０の領域に渡って減少される。側短絡シールドを含むことにより、これらの領域における磁束密度を減少させ、その結果、磁気媒体１０４の記録層１０６における記録されたビットの不安定性を少なくする。
【００１６】
第１および第２の側短絡シールド１２８および１３０は、幅および位置において修正されてもよい。例えば、各側短絡シールドと主極１２０との間の距離は、約１から７ミクロンの範囲内で修正されてもよい。距離は、第１および第２の側短絡シールド１２８および１３０が図３に示されるように主極１２０により近く置かれるように小さくしてもよい。加えて、側短絡シールド１２８および１３０のいずれかあるいは双方は、浮上面から引っ込んだ場所に置かれてもよく、それにより磁気媒体１０４を通る磁気抵抗を増加させ、そしてそれにより消去フィールドを減少させる。
【００１７】
図４は、側短絡シールドの無い類似する垂直ライタのトラック横断フィールド１３４と比較した、側短絡シールドを有する本発明の垂直ライタのトラック横断フィールド１３２を示すための、トラック横断位置対正規化垂直フィールドのグラフである。トラック横断フィールド１３２は、図３に示される構造を有する本発明の垂直ライタに対するものであり、ここで、側短絡シールド１２８および１３０は、主極１２０から約２ミクロンの位置に置かれている。図４は、主極の中央（トラック横断位置＝０）からトラック横断方向に垂直ライタを横切って延びる各書込みフィールド１３２および１３４を示している。側短絡シールドの無い垂直ライタのトラック横断フィールド１３４は、図示されている距離に渡ってゆっくり減少する。対照的に、本発明による第１および第２の側短絡シールド１２８および１３０を有する垂直ライタは、側短絡シールドの位置において書込みフィールド１３２における急な減少を示している。
【実施例２】
【００１８】
図５および図６は、追加的に上部短絡シールド１３６を含む、垂直ライタ１００に対する代替的構造を示している。上部短絡シールド１３６は、主極１２０の上に浮上面においてあるいはその近くに置かれている。上部短絡シールド１３６は、ＮｉＦｅのような軟磁性材料のブロックで形成されている。上部短絡シールド１３６を含むことにより、トラック下方方向における書込みフィールド勾配が改良される。磁束は、上部短絡シールド１３６の位置において垂直ライタ１００に戻り、それにより主極１２０の上の、あるいは主極１２０からのトラック下方方向における書込みフィールド勾配が改良される。垂直フィールド構成要素は、上部短絡シールド１３６の領域に渡って減少され、その結果、記録層１０６において記録されたビットにおける情報の不安定性が少なくなる。図５および図６に示されるように、上部短絡シールド１３６は、書込みフィールド勾配のトラック下方修正および書込みフィールド勾配のトラック横断修正の双方を提供するために、第１および第２の側短絡シールド１２８および１３０と組み合わせてもよい。
【００１９】
図７は、上部短絡シールド１３６と主極１２０との間の距離を修正し、同様に第１および第２の側短絡シールド１２８および１３０と主極１２０との間の距離を修正した、図６に示される垂直ライタと類似する垂直ライタ１００を示している。図２および図３の垂直ライタに対して上に記述したように、主極１２０と第１および第２の側短絡シールド１２８および１３０の各々との間の距離は、書込みフィールド勾配をカストマイズするために修正することができる。
【実施例３】
【００２０】
図８および図９は、追加的に上部短絡シールド１３６および下部短絡シールド１３８の双方を含む、垂直ライタ１００に対する代替的構造を示している。図８および図９において、垂直ライタ１００は、トラック下方方向において主極１２０に隣接する上部短絡シールド１３６と、トラック上方方向において上部短絡シールド１３６とは反対の側において主極１２０に隣接する下部短絡シールド１３８を含む。第１および第２の側短絡シールド１２８および１３０は、上部短絡シールド１３６を下部短絡シールド１３８に主極１２０の両側において接続する。下部短絡シールド１３８は、ＮｉＦｅのような軟磁性材料のブロックから形成されている。図８および図９の垂直ライタ１００は、トラック下方およびトラック横断方向の双方における書込みフィールド勾配を改良し、同様にトラック上方方向における消去フィールドの更なる減少を提供する。
【００２１】
図１０は、ライタ最大主極フィールド対正規化最大帰路極フィールドの図表である。図１０は、本発明の垂直ライタ１００の利点を示すために、有限要素技術を使用するモデル化データを示している。図２から図９に示される垂直ライタ１００に対する多様な代替的構造に対するモデルが、図１０のグラフに示されている。線１４０は、図８および図９の構造に対応する。線１４２は図７の構造に対応する。線１４４は図３の構造に対応し、線１４６は図６の構造に対応する。線１４８は図２の構造に対応し、線１５０は短絡シールドの無い制御垂直ライタである。図１０のグラフは、短絡シールドの無い制御垂直ライタと比較して、減少された帰路フィールドを有する望ましい高い書込みフィールドを達成する、垂直ライタ１００に対する多様な設計のグラフを示している。
【００２２】
垂直ライタ１００は、単一で、あるいは第１の帰路極１１０、第１の側短絡シールド１２８、第２の側短絡シールド１３０、上部短絡シールド１３６、下部短絡シールド１３８および第２の帰路極１２６と組み合わせて、ＡＢＳから引っ込んだ場所に置かれるように追加的に修正してもよい。垂直ライタ１００の１つあるいはそれ以上の構成要素をＡＢＳから離して引っ込めることにより、媒体を通る磁気抵抗が増加し、それにより磁気媒体１０４における記録された情報の不安定性が減少する。
【００２３】
本発明の垂直ライタ１００は、ＡＢＳにおいてあるいはその近くにおいて主極１２０の両側に主極１２０から一定の間隔を置いて配置された側短絡シールド１２８および１３０を含む。側短絡シールド１２８および１３０は、上部および下部短絡シールド１３６および１３８と共にあるいはそれら無しで、ＡＢＳにおいてあるいはその近くにおいて主極１２０の周りに箱を形成し、それにより書込みフィールド勾配を改良し消去フィールドを減少させる。本発明の垂直ライタ１００において、残りの磁束はライタ内で磁気抵抗回路を閉じ、磁気媒体を通過してそこで記録されたビットが不安定にされる可能性があり、記録層における記憶された情報が消去される結果となるのではない。箱の大きさは、各短絡シールドから主極１２０への距離を増加させるあるいは減少させることにより調整することができる。箱への変更は、書込みフィールド勾配に直接影響を与える。
【図面の簡単な説明】
【００２４】
【図１】本発明の垂直ライタの、トラック内に向けた浮上面に垂直な面に沿った断面図である。
【図２】ＡＢＳにおいて見た本発明の垂直ライタの底面図である。
【図３】ＡＢＳにおいて見た本発明の垂直ライタに対する代替的構造の底面図である。
【図４】従来の垂直ライタおよび本発明の垂直ライタに対する、トラック横断フィールド勾配のグラフである。
【図５】本発明の垂直ライタに対する代替的構造の、トラック内に向けた浮上面に垂直な面に沿った断面図である。
【図６】ＡＢＳにおいて見た本発明の垂直ライタに対する代替的構造の底面図である。
【図７】ＡＢＳにおいて見た本発明の垂直ライタに対する代替的構造の底面図である。
【図８】本発明の垂直ライタに対する代替的構造の、トラック内に向けた浮上面に垂直な面に沿った断面図である。
【図９】ＡＢＳにおいて見た本発明の垂直ライタに対する代替的構造の底面図である。
【図１０】本発明の垂直ライタの代替的構造を制御構造と比較するための、モデル化最大書込み極フィールド対正規化最大帰路フィールドのグラフである。
【符号の説明】
【００２５】
１００  垂直ライタ
１０２  媒体表面
１０４  磁気媒体
１０６  記録層
１０８  下部層
１１０  第１の帰路極
１１２  第１の後部バイア
１１４  第１の組のコイル
１１６  絶縁体
１１８  ヨーク
１２０  主極
１２２  第２の後部バイア
１２４  第２の組のコイル
１２６  第２の帰路極
１２８  第１の短絡シールド
１３０  第２の短絡シールド
１３６  上部短絡シールド
１３８  下部短絡シールド
【図１】
2005182987.tif 000003
【図２】
2005182987.tif 000004
【図３】
2005182987.tif 000005
【図４】
2005182987.tif 000006
【図５】
2005182987.tif 000007
【図６】
2005182987.tif 000008
【図７】
2005182987.tif 000009
【図８】
2005182987.tif 000010
【図９】
2005182987.tif 000011
【図１０】
2005182987.tif 000012